(57)【特許請求の範囲】
【請求項１】
無線通信の方法であって、
アクセス・チャネルが、前記アクセス・チャネルが複数のサブフレームにわたることができるフォーマットを持つかどうかに少なくとも部分的に基づいて、第２のチャネルに対する前記アクセス・チャネルに関する送信電力の優先度を決定することと、
前記アクセス・チャネルと前記第２のチャネルとを同時に送信することと、ここで、前記アクセス・チャネルと前記第２のチャネルとのおのおのは、前記送信電力の優先度に基づいて決定された送信電力で送信される、
を備える方法。
【請求項２】
高い優先度のチャネルに、必須の送信電力を割り当てることと、
低い優先度のチャネルに、残りの送信電力を割り当てることと、
をさらに含む、請求項１に記載の方法。
【請求項３】
前記アクセス・チャネルは、物理ランダム・アクセス・チャネル（ＰＲＡＣＨ）である、請求項１に記載の方法。
【請求項４】
前記ＰＲＡＣＨおよび前記第２のチャネルは、複数の成分キャリアのうちの少なくとも１つの成分キャリアで送信される、請求項３に記載の方法。
【請求項５】
前記複数の成分キャリアは、一次成分キャリアと、少なくとも１つの二次成分キャリアとを含み、
前記送信電力の優先度を決定することは、前記ＰＲＡＣＨが、前記一次成分キャリアでタイミング情報を伝送し、前記第２のチャネルが、前記少なくとも１つの二次成分キャリアのうちの二次成分キャリアで送信される物理アップリンク共有チャネル（ＰＵＳＣＨ）である場合、前記ＰＲＡＣＨに第１の優先度を、前記第２のチャネルに第２の優先度を割り当てることを含む、請求項４に記載の方法。
【請求項６】
前記第１の優先度は、前記第２の優先度よりも高い、請求項５に記載の方法。
【請求項７】
前記複数の成分キャリアは、一次成分キャリアと、少なくとも１つの二次成分キャリアとを含み、
前記送信電力の優先度を決定することは、前記ＰＲＡＣＨが、前記一次成分キャリアでアップリンク・スケジューリング要求を示し、前記第２のチャネルが、前記少なくとも１つの二次成分キャリアのうちの二次成分キャリアまたは前記一次成分キャリアでサウンディング基準信号（ＳＲＳ）を伝送する場合、前記ＰＲＡＣＨに第１の優先度を、前記第２のチャネルに第２の優先度を割り当てることを含む、請求項４に記載の方法。
【請求項８】
前記第１の優先度は、前記第２の優先度よりも高い、請求項７に記載の方法。
【請求項９】
前記第２のチャネルが送信される１つの直交周波数分割多重（ＯＦＤＭ）シンボルの間、前記ＰＲＡＣＨを送信するための送信電力を下げること、をさらに含む、請求項７に記載の方法。
【請求項１０】
前記複数の成分キャリアは、一次成分キャリアと、少なくとも１つの二次成分キャリアとを含み、
前記送信電力の優先度を決定することは、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てることを含む、請求項４に記載の方法。
【請求項１１】
前記第１の優先度は、前記第２の優先度よりも高い、請求項１０に記載の方法。
【請求項１２】
前記複数の成分キャリアは、一次成分キャリアと、少なくとも１つの二次成分キャリアとを含み、
前記送信電力の優先度を決定することは、前記ＰＲＡＣＨが、前記少なくとも１つの二次成分キャリアのうちの二次成分キャリアでタイミング情報を伝送し、前記第２のチャネルが、前記一次成分キャリアで送信される場合、前記ＰＲＡＣＨに第１の優先度を、前記第２のチャネルに第２の優先度を割り当てることを含む、請求項４に記載の方法。
【請求項１３】
前記第１の優先度は、前記第２の優先度よりも低い、請求項１２に記載の方法。
【請求項１４】
前記ＰＲＡＣＨが送信されるおのおののサブフレームにおける前記ＰＲＡＣＨの送信のための電力キャップを適用すること、をさらに含む、請求項１３に記載の方法。
【請求項１５】
前記ＰＲＡＣＨが送信される複数のサブフレームのおのおののための電力キャップを決定することをさらに含み、
前記適用される電力キャップは、前記決定された電力キャップのうちの最低のものである、請求項１４に記載の方法。
【請求項１６】
前記ＰＲＡＣＨの送信のための電力キャップを決定することをさらに含み、
前記ＰＲＡＣＨの送信のために適用される電力キャップは、前記決定された電力キャップと、以前に適用された電力キャップと、のうちの最低の電力キャップである、請求項１４に記載の方法。
【請求項１７】
前記複数の成分キャリアは、一次成分キャリアと、少なくとも１つの二次成分キャリアとを含み、
前記送信電力の優先度を決定することは、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てることを含む、請求項４に記載の方法。
【請求項１８】
前記第１の優先度は、前記第２の優先度よりも低い、請求項１７に記載の方法。
【請求項１９】
前記ＰＲＡＣＨが送信されるおのおののサブフレームにおける前記ＰＲＡＣＨの送信のための電力キャップを適用すること、をさらに含む、請求項１８に記載の方法。
【請求項２０】
前記ＰＲＡＣＨが送信される複数のサブフレームのおのおののための電力キャップを決定することをさらに含み、
前記適用される電力キャップは、前記決定された電力キャップのうちの最低のものである、請求項１９に記載の方法。
【請求項２１】
前記ＰＲＡＣＨの送信のための電力キャップを決定することをさらに含み、
前記ＰＲＡＣＨの送信のために適用される電力キャップは、前記決定された電力キャップと、以前に適用された電力キャップと、のうちの最低の電力キャップである、請求項１９に記載の方法。
【請求項２２】
前記送信電力の優先度を決定することは、前記ＰＲＡＣＨが、前記ＰＲＡＣＨが複数のサブフレームにわたることができる前記フォーマットを持たない場合、前記ＰＲＡＣＨに前記第２のチャネルよりも低い優先度を割り当てることを含む、請求項１に記載の方法。
【請求項２３】
無線通信のための装置であって、
アクセス・チャネルが、前記アクセス・チャネルが複数のサブフレームにわたることができるフォーマットを持つかどうかに少なくとも部分的に基づいて、第２のチャネルに対する前記アクセス・チャネルに関する送信電力の優先度を決定するための手段と、
前記アクセス・チャネルと前記第２のチャネルとを同時に送信するための手段と、ここで、前記アクセス・チャネルと前記第２のチャネルとのおのおのは、前記送信電力の優先度に基づいて決定された送信電力で送信される、
を備える装置。
【請求項２４】
高い優先度のチャネルに、必須の送信電力を割り当てるための手段と、
低い優先度のチャネルに、残りの送信電力を割り当てるための手段と、
をさらに含む、請求項２３に記載の装置。
【請求項２５】
前記アクセス・チャネルは、物理ランダム・アクセス・チャネル（ＰＲＡＣＨ）である、請求項２３に記載の装置。
【請求項２６】
前記ＰＲＡＣＨおよび前記第２のチャネルは、複数の成分キャリアのうちの少なくとも１つの成分キャリアで送信される、請求項２５に記載の装置。
【請求項２７】
前記複数の成分キャリアは、一次成分キャリアと、少なくとも１つの二次成分キャリアとを含み、
前記送信電力の優先度を決定するための手段は、前記ＰＲＡＣＨが、前記一次成分キャリアでタイミング情報を伝送し、前記第２のチャネルが、前記少なくとも１つの二次成分キャリアのうちの二次成分キャリアで送信される物理アップリンク共有チャネル（ＰＵＳＣＨ）である場合、前記ＰＲＡＣＨに第１の優先度を、前記第２のチャネルに第２の優先度を割り当てるための手段を含む、請求項２６に記載の装置。
【請求項２８】
前記第１の優先度は、前記第２の優先度よりも高い、請求項２７に記載の装置。
【請求項２９】
前記複数の成分キャリアは、一次成分キャリアと、少なくとも１つの二次成分キャリアとを含み、
前記送信電力の優先度を決定するための手段は、前記ＰＲＡＣＨが、前記一次成分キャリアでアップリンク・スケジューリング要求を示し、前記第２のチャネルが、前記少なくとも１つの二次成分キャリアのうちの二次成分キャリアまたは前記一次成分キャリアでサウンディング基準信号（ＳＲＳ）を伝送する場合、前記ＰＲＡＣＨに第１の優先度を、前記第２のチャネルに第２の優先度を割り当てるための手段を含む、請求項２６に記載の装置。
【請求項３０】
前記第１の優先度は、前記第２の優先度よりも高い、請求項２９に記載の装置。
【請求項３１】
前記第２のチャネルが送信される１つの直交周波数分割多重（ＯＦＤＭ）シンボルの間、前記ＰＲＡＣＨを送信するための送信電力を下げるための手段、をさらに含む、請求項２９に記載の装置。
【請求項３２】
前記複数の成分キャリアは、一次成分キャリアと、少なくとも１つの二次成分キャリアとを含み、
前記送信電力の優先度を決定するための手段は、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てるための手段を含む、請求項２６に記載の装置。
【請求項３３】
前記第１の優先度は、前記第２の優先度よりも高い、請求項３２に記載の装置。
【請求項３４】
前記複数の成分キャリアは、一次成分キャリアと、少なくとも１つの二次成分キャリアとを含み、
前記送信電力の優先度を決定するための手段は、前記ＰＲＡＣＨが、前記少なくとも１つの二次成分キャリアのうちの二次成分キャリアでタイミング情報を伝送し、前記第２のチャネルが、前記一次成分キャリアで送信される場合、前記ＰＲＡＣＨに第１の優先度を、前記第２のチャネルに第２の優先度を割り当てるための手段を含む、請求項２６に記載の装置。
【請求項３５】
前記第１の優先度は、前記第２の優先度よりも低い、請求項３４に記載の装置。
【請求項３６】
前記ＰＲＡＣＨが送信されるおのおののサブフレームにおける前記ＰＲＡＣＨの送信のための電力キャップを適用するための手段、をさらに含む、請求項３５に記載の装置。
【請求項３７】
前記ＰＲＡＣＨが送信される複数のサブフレームのおのおののための電力キャップを決定するための手段をさらに含み、
前記適用される電力キャップは、前記決定された電力キャップのうちの最低のものである、請求項３６に記載の装置。
【請求項３８】
前記ＰＲＡＣＨの送信のための電力キャップを決定するための手段をさらに含み、
前記ＰＲＡＣＨの送信のために適用される電力キャップは、前記決定された電力キャップと、以前に適用された電力キャップと、のうちの最低の電力キャップである、請求項３６に記載の装置。
【請求項３９】
前記複数の成分キャリアは、一次成分キャリアと、少なくとも１つの二次成分キャリアとを含み、
前記送信電力の優先度を決定するための手段は、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てるための手段を含む、請求項２６に記載の装置。
【請求項４０】
前記第１の優先度は、前記第２の優先度よりも低い、請求項３９に記載の装置。
【請求項４１】
前記ＰＲＡＣＨが送信されるおのおののサブフレームにおける前記ＰＲＡＣＨの送信のための電力キャップを適用するための手段、をさらに含む、請求項４０に記載の装置。
【請求項４２】
前記ＰＲＡＣＨが送信される複数のサブフレームのおのおののための電力キャップを決定するための手段をさらに含み、
前記適用される電力キャップは、前記決定された電力キャップのうちの最低のものである、請求項４１に記載の装置。
【請求項４３】
前記ＰＲＡＣＨの送信のための電力キャップを決定するための手段をさらに含み、
前記ＰＲＡＣＨの送信のために適用される電力キャップは、前記決定された電力キャップと、以前に適用された電力キャップと、のうちの最低の電力キャップである、請求項４１に記載の装置。
【請求項４４】
前記送信電力の優先度を決定するための手段は、前記ＰＲＡＣＨが、前記ＰＲＡＣＨが複数のサブフレームにわたることができる前記フォーマットを持たない場合、前記ＰＲＡＣＨに前記第２のチャネルよりも低い優先度を割り当てるための手段を含む、請求項２３に記載の装置。
【発明の詳細な説明】
【関連出願に対する相互参照】
【０００１】
本願は、全体が本明細書において参照によって明確に組み込まれている２０１０年５月２８日出願の「ＰＲＡＣＨ電力優先度付けのための装置および方法」（Apparatus and Method for PRACH Power Prioritization）と題された米国仮出願６１／３４９，６５１号の利益を主張する。
【技術分野】
【０００２】
本開示は、一般に、通信システムに関し、さらに詳しくは、物理ランダム・アクセス・チャネル（ＰＲＡＣＨ）電力優先度付けに関する。
【背景技術】
【０００３】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力等）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００４】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。さらに、これらの改善は、これらの技術を適用するその他の多元接続技術および通信規格に適用可能であるべきである。
【発明の概要】
【０００５】
本開示の態様では、アクセス・チャネルと第２のチャネルとの間での送信電力の優先度付けを行う方法、コンピュータ・プログラム製品、および装置が提供される。さらに、アクセス・チャネルと第２のチャネルとは、同時に送信される。アクセス・チャネルおよび第２のチャネルのおのおのは、優先度に基づいて決定された送信電力で送信される。
【０００６】
本開示の態様では、アクノレッジメントとともにアクセス・チャネルを送信するために使用する第１のリソースと、否定的アクノレッジメントとともにアクセス・チャネルを送信する第２のリソースとに関する情報が受信される方法、コンピュータ・プログラム製品、および装置が提供される。さらに、アクセス・チャネルは、第１のリソースおよび第２のリソースのうちの１つで送信される。
【図面の簡単な説明】
【０００７】
【図１】図１は、処理システムを適用する装置のためのハードウェア実装の例を例示する図解である。
【図２】図２は、ネットワーク・アーキテクチャを例示する図解である。
【図３】図３は、アクセス・ネットワークを例示する図解である。
【図４】図４は、アクセス・ネットワークにおいて使用するためのフレーム構造を例示する図解である。
【図５】図５は、ＬＴＥにおけるアップリンクのための典型的なフォーマットを示す。
【図６】図６は、ユーザ・プレーンおよび制御プレーンのためのラジオ・プロトコル・アーキテクチャを例示する図解である。
【図７】図７は、アクセス・ネットワークにおけるイボルブド・ノードＢおよびユーザ機器を例示する図解である。
【図８】図８は、第１の典型的な構成を例示する図解である。
【図９】図９は、第１の典型的な構成を例示する第２の図解である。
【図１０】図１０は、ランダム・アクセス・チャネルが、別のチャネルと同時に送信されうるか否かを例示するための図解である。
【図１１】図１１は、第２の典型的な構成に準じた優先度ルールを例示する図解である。
【図１２】図１２は、第２の典型的な構成を例示する図解である。
【図１３】図１３は、無線通信の第１の方法のフロー・チャートである。
【図１４】図１４は、無線通信の第２の方法のフロー・チャートである。
【図１５】図１５は、無線通信の第２の方法にしたがう別のフロー・チャートである。
【図１６】図１６は、無線通信の第２の方法にしたがうさらに別のフロー・チャートである。
【図１７】図１７は、典型的な装置の機能を例示するブロック図である。
【発明を実施するための形態】
【０００８】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【０００９】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、以下の詳細説明に記述されており、添付図面に例示される。これらの要素は、電子ハードウェア、コンピュータ・ソフトウェア、またはこれら任意の組み合わせを用いて実現されうる。それら要素がハードウェアとしてまたはソフトウェアとして実現されるかは、特定のアプリケーションおよびシステム全体に課せられている設計制約に依存する。
【００１０】
例として、要素、要素の任意の部分、または、要素の任意の組み合わせは、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、順序回路、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。
【００１１】
コンピュータ読取可能な媒体は、非一時的なコンピュータ読取可能な媒体でありうる。非一時的なコンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、および、コンピュータによってアクセスされうる命令群および／またはソフトウェアを格納するためのその他任意の適切な媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【００１２】
図１は、処理システム１１４を適用する装置１００のためのハードウェア実装の例を例示する概念図である。この例では、処理システム１１４は、一般にバス１０２によって表されているバス・アーキテクチャを用いて実現されうる。バス１０２は、全体的な設計制約および処理システム１１４の特定のアプリケーションに依存して、任意の数の相互接続バスおよびブリッジを含みうる。バス１０２は、一般にプロセッサ１０４によって表される１または複数のプロセッサと、一般にコンピュータ読取可能な媒体１０６によって表されるコンピュータ読取可能な媒体を含むさまざまな回路を共に接続する。バス１０２はさらに、例えば、タイミング・ソース、周辺機器、電圧制御装置、および電力管理回路のようなその他さまざまな回路をリンクしうる。これらは、当該技術分野で良く知られているので、さらなる説明はしない。バス・インタフェース１０８は、バス１０２とトランシーバ１１０との間にインタフェースを提供する。トランシーバ１１０は、送信媒体を介してその他さまざまな装置と通信するための手段を提供する。装置の性質によって、ユーザ・インタフェース１１２（例えば、キーパッド、ディスプレイ、スピーカ、マイクロフォン、ジョイスティック）も提供されうる。
【００１３】
プロセッサ１０４は、バス１０２の管理、および、コンピュータ読取可能な媒体１０６に格納されたソフトウェアの実行を含む一般的な処理を担当する。ソフトウェアは、プロセッサ１０４によって実行された場合、処理システム１１４に対して、特定の装置のために記載されたさまざまな機能を実行させる。コンピュータ読取可能な媒体１０６はまた、ソフトウェアが実行されている場合に、プロセッサ１０４によって操作されるデータを格納するためにも使用されうる。
【００１４】
図２は、さまざまな装置１００（図１参照）を適用するＬＴＥネットワーク・アーキテクチャ２００を例示する図解である。ＬＴＥネットワーク・アーキテクチャ２００は、イボルブド・パケット・システム（ＥＰＳ）２００と称されうる。ＥＰＳ２００は、１または複数のユーザ機器（ＵＥ）２０２、イボルブドＵＭＴＳ地上ラジオ・アクセス・ネットワーク（Ｅ−ＵＴＲＡＮ）２０４、イボルブド・パケット・コア（ＥＰＣ）２１０、ホーム加入者サーバ（ＨＳＳ）２２０、およびオペレータのＩＰサービス２２２を含みうる。ＥＰＳ２００は、他のアクセス・ネットワークと相互接続しうるが、簡略のために、これらエンティティ／インタフェースは図示していない。図示されるように、ＥＰＳ２００は、パケット交換サービスを提供する。しかしながら、当業者であれば容易に認識するであろうが、本開示にわたって示されているさまざまな概念は、回路交換サービスを提供しているネットワークに拡張されうる。
【００１５】
Ｅ−ＵＴＲＡＮは、イボルブド・ノードＢ（ｅＮＢ）２０６およびその他のｅＮＢ２０８を含んでいる。ｅＮＢ２０６は、ＵＥ２０２向けのユーザ・プレーン・プロトコルおよび制御プレーン・プロトコルの終了を提供する。ｅＮＢ２０６は、Ｘ２インタフェース（すなわち、バックホール）を経由して他のｅＮＢ２０８に接続されうる。ｅＮＢ２０６はまた、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、アクセス・ポイント、またはその他いくつかの適切な用語として称されうる。ｅＮＢ２０６は、ＵＥ２０２のために、ＥＰＣ２１０にアクセス・ポイントを提供する。ＵＥ２０２の例は、セルラ電話、スマートフォン、セッション開始プロトコル（ＳＩＰ）電話、ラップトップ、タブレット、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他類似の機能デバイスを含んでいる。ＵＥ２０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００１６】
ｅＮＢ２０６は、Ｓ１インタフェースによってＥＰＣ２１０に接続される。ＥＰＣ２１０は、モビリティ管理エンティティ（ＭＭＥ）２１２、その他のＭＭＥ２１４、サービス提供ゲートウェイ２１６、およびパケット・データ・ネットワーク（ＰＤＮ）ゲートウェイ２１８を含んでいる。ＭＭＥ２１２は、ＵＥ２０２とＥＰＣ２１０との間のシグナリングを処理する制御ノードである。一般に、ＭＭＥ２１２はベアラおよび接続管理を提供する。すべてのユーザＩＰパケットは、ＰＤＮゲートウェイ２１８に接続されているサービス提供ゲートウェイ２１６を介して転送される。ＰＤＮゲートウェイ２１８は、ＵＥ  ＩＰアドレス割当のみならず、その他の機能も提供する。ＰＤＮゲートウェイ２１８は、オペレータのＩＰサービス２２２に接続される。オペレータのＩＰサービス２２２は、インターネット、イントラネット、ＩＰマルチメディア・サブシステム、およびＰＳストリーミング・サービスを含んでいる。
【００１７】
図３は、ＬＴＥネットワーク・アーキテクチャにおけるアクセス・ネットワークの例を例示する図である。この例では、アクセス・ネットワーク３００は、多くのセルラ領域（セル）３０２に分割される。１または複数の低電力クラスのｅＮＢ３０８，３１２は、これらセル３０２のうちの１または複数とそれぞれオーバラップするセルラ領域３１０，３１４をそれぞれ有しうる。低電力クラスのｅＮＢ３０８，３１２は、フェムト・セル（例えば、ホームｅＮＢ（ＨｅＮＢ））、ピコ・セル、またはマイクロ・セルでありうる。高電力クラスまたはマクロｅＮＢ３０４は、セル３０２に割り当てられ、セル３０２内のすべてのＵＥ３０６のためにＥＰＣ２１０へアクセス・ポイントを提供するように構成されている。アクセス・ネットワーク３００のこの例では、中央コントローラは存在しないが、別の構成では、中央コントローラが使用されうる。ｅＮＢ３０４は、ラジオ・ベアラ制御、許可制御、モビリティ制御、スケジューリング、セキュリティ、および、（図２に示す）サービス提供ゲートウェイ２１６への接続を含むすべてのラジオ関連機能を担当する。
【００１８】
アクセス・ネットワーク３００によって適用される変調および多元接続スキームは、展開されている特定の通信規格に依存して変動しうる。ＬＴＥでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、以下の詳細記載から容易に認識されるように、ここで示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、ＯＦＤＭＡを適用するイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００１９】
ｅＮＢ３０４は、ＭＩＭＯ技術をサポートする複数のアンテナを有しうる。ＭＩＭＯ技術を使用することにより、ｅＮＢ３０４は、空間多重化、ビームフォーミング、および送信ダイバーシティをサポートするために空間領域を活用できるようになる。
【００２０】
空間多重化は、同じ周波数で、異なるデータ・ストリームを同時に送信するために使用されうる。データ・ストリームは、データ・レートを高めるために単一のＵＥ３０６へ、全体的なシステム容量を高めるために複数のＵＥ３０６へ、送信されうる。これは、各データ・ストリームを空間的にプリコードし（すなわち、振幅およびフェーズのスケーリングを適用し）、空間的にプリコードされた各ストリームを、ダウンリンクで、複数の送信アンテナを介して送信することによって達成される。この空間的にプリコードされたデータ・ストリームは、異なる空間シグニチャを持つＵＥ（単数または複数）３０６に到着する。これによって、ＵＥ（単数または複数）３０６のおのおのは、ＵＥ３０６のために指定された１または複数のデータ・ストリームを復元できるようになる。アップリンクでは、おのおののＵＥ３０６が、空間的にプリコードされたデータ・ストリームを送信する。これによって、ｅＮＢ３０４は、空間的にプリコードされた各データ・ストリームのソースを識別できるようになる。
【００２１】
以下に続く詳細説明では、アクセス・ネットワークのさまざまな態様が、ダウンリンクでＯＦＤＭをサポートするＭＩＭＯシステムに関して記載されるだろう。ＯＦＤＭは、ＯＦＤＭシンボル内の多くのサブキャリアにおいてデータを変調するスペクトル拡散技術である。サブキャリアは、正確な周波数で、間隔を置かれている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。アップリンクは、高いピーク対平均電力比（ＰＡＲＲ）を補償するために、ＤＦＴ拡散ＯＦＤＭ信号の形態でＳＣ−ＦＤＭＡを使用しうる。アップリンクは、ＯＦＤＭＡとは異なるＳＣ−ＦＤＭＡを使用しうるが、アップリンクで使用されるシンボルは、ＯＦＤＭシンボルまたはＳＣ−ＦＤＭシンボルと置換可能に称されうる。
【００２２】
ＤＬ送信とＵＬ送信とをサポートするために、さまざまなフレーム構造が使用されうる。ＤＬフレーム構造の例が、図４を参照して示される。しかしながら、当業者が容易に認識するように、どの特定のアプリケーションのフレーム構造も、任意の数の要因に依存して異なりうる。この例では、フレーム（１０ミリ秒）が、１０の等しいサイズのサブフレームに分割される。おのおののサブフレームは、２つの連続する時間スロットを含んでいる。
【００２３】
おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。Ｒ４０２，４０４として示されるような、リソース要素のいくつかは、ＤＬ基準信号（ＤＬ−ＲＳ）を含んでいる。ＤＬ−ＲＳは、（しばしば、共通ＲＳとも称される）セル特有のＲＳ（ＣＲＳ）４０２と、ＵＥ特有のＲＳ（ＵＥ−ＲＳ）４０４とを含んでいる。ＵＥ−ＲＳ４０４は、対応する物理ダウンリンク共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００２４】
ＵＬフレーム構造５００の例が、図５を参照して示される。図５は、ＬＴＥにおけるＵＬのための典型的なフォーマットを示す。ＵＬのために利用可能なリソース・ブロックは、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図５における設計の結果、データ・セクションは、連続するサブキャリアを含むようになる。これによって、単一のＵＥに、データ・セクションにおいて連続するサブキャリアのすべてが割り当てられるようになる。
【００２５】
ＵＥは、ｅＮＢへ制御情報を送信するために、制御セクションにおいてリソース・ブロック５１０ａ，５１０ｂを割り当てられうる。ＵＥはまた、ｅＮＢへデータを送信するために、データ・セクションにおいてリソース・ブロック５２０ａ、５２０ｂを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。ＵＬ送信は、サブフレームからなる両スロットにおよび、図５に示すように、周波数を越えてホップしうる。
【００２６】
図５に示すように、物理ランダム・アクセス・チャネル（ＰＲＡＣＨ）５３０における初期システム・アクセスの実行と、ＵＬ同期の達成とのために、リソース・ブロックのセットが使用されうる。ＰＲＡＣＨ５３０は、ランダム・シーケンスを伝送する。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送されるか、少数の連続したサブフレームのシーケンスで伝送されうる。そして、ＵＥは、フレーム（１０ミリ秒）毎に１回のＰＲＡＣＨ試行しか行わないことがある。
【００２７】
ラジオ・プロトコル・アーキテクチャは、特定のアプリケーションに依存してさまざまな形態をとりうる。ＬＴＥシステムに関する例が、図６を参照して示される。図６は、ユーザ・プレーンおよび制御プレーンのためのラジオ・プロトコル・アーキテクチャの例を例示する概念図である。
【００２８】
図６に移って、ＵＥおよびｅＮＢのためのラジオ・プロトコル・アーキテクチャが、３つのレイヤ、すなわち、レイヤ１、レイヤ２、およびレイヤ３を用いて示される。レイヤ１は、最下部レイヤであり、さまざまな物理レイヤ信号処理機能を実施する。レイヤ１は、本明細書では物理レイヤ６０６と称されるだろう。レイヤ２（Ｌ２レイヤ）６０８は、物理レイヤ６０６上にあり、物理レイヤ６０６を介したＵＥとｅＮＢとの間のリンクを担当する。
【００２９】
ユーザ・プレーンでは、Ｌ２レイヤ６０８は、媒体アクセス制御（ＭＡＣ）サブレイヤ６１０と、ラジオ・リンク制御（ＲＬＣ）サブレイヤ６１２と、パケット・データ収束プロトコル（ＰＤＣＰ）サブレイヤ６１４とを含む。これらは、ネットワーク側におけるｅＮＢにおいて終了する。図示されていないが、ＵＥは、ネットワーク側におけるＰＤＮゲートウェイ２０８（図２参照）で終了するネットワーク・レイヤ（例えば、ＩＰレイヤ）を含む、Ｌ２レイヤ６０８上のいくつかの上部レイヤと、（例えば、遠くのエンドＵＥ、サーバ等のような）接続の他端において終了するアプリケーション・レイヤとを有しうる。
【００３０】
ＰＤＣＰサブレイヤ６１４は、異なるラジオ・ベアラと論理チャネルとの間の多重化を提供する。ＰＤＣＰサブレイヤ６１４はまた、ラジオ送信オーバヘッドを低減するための上部レイヤ・データ・パケットのヘッダ圧縮、データ・パケットを暗号化することによるセキュリティ、および、ｅＮＢ間のＵＥのためのハンドオーバ・サポートを提供する。ＲＬＣサブレイヤ６１２は、上部レイヤ・データ・パケットのセグメント化および再アセンブリ、喪失したデータ・パケットの再送信、および、ハイブリッド自動反復要求（ＨＡＲＱ）による順不同な受信を補償するためのデータ・パケットの並べ替えを提供する。ＭＡＣサブレイヤ６１０は、論理チャネルと伝送チャネルとの間の多重化を提供する。ＭＡＣサブレイヤ６１０はまた、１つのセル内のさまざまなラジオ・リソース（例えば、リソース・ブロック）を、ＵＥ間に割り当てることをも担当する。ＭＡＣサブレイヤ６１０はまた、ＨＡＲＱ動作をも担当する。
【００３１】
制御プレーンでは、ＵＥおよびｅＮＢのためのラジオ・プロトコル・アーキテクチャは、制御プレーンのためのヘッダ圧縮機能が無いことを除いて、物理レイヤ６０６およびＬ２レイヤ６０８について実質的に同じである。制御プレーンはまた、レイヤ３にラジオ・リソース制御（ＲＲＣ）サブレイヤ６１６を含んでいる。ＲＲＣサブレイヤ６１６は、ラジオ・リソース（すなわち、ラジオ・ベアラ）を取得することと、ＲＲＣシグナリングを用いてｅＮＢとＵＥとの間に下部レイヤを設定することと、を担当する。
【００３２】
図７は、アクセス・ネットワークにおいてＵＥ７５０と通信しているｅＮＢ７１０のブロック図である。ＤＬでは、コア・ネットワークからの上部レイヤ・パケットが、コントローラ／プロセッサ７７５へ提供される。コントローラ／プロセッサ７７５は、図６に関して以前に記述されたＬ２レイヤの機能を実現する。ＤＬでは、コントローラ／プロセッサ７７５は、さまざまな優先度判定基準に基づいて、ヘッダ圧縮、暗号化、パケット・セグメント化および並べ替え、論理チャネルと伝送チャネルとの間の多重化、および、ＵＥ７５０へのラジオ・リソース割当を提供する。さらに、コントローラ／プロセッサ７７５はまた、ＨＡＲＱ動作、喪失パケットの再送信、およびＵＥ７５０へのシグナリングを担当する。
【００３３】
ＴＸプロセッサ７１６は、Ｌ１レイヤ（すなわち、物理レイヤ）のためのさまざまな信号処理機能を実現する。この信号処理機能は、ＵＥ７５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器７７４からのチャネル推定値が、空間処理のみならず、符号化および変調スキームを決定するためにも使用されうる。チャネル推定値は、ＵＥ７５０によって送信されたチャネル状態フィードバックおよび／または基準信号から導出されうる。おのおのの空間ストリームはその後、個別の送信機７１８ＴＸを介して異なるアンテナ７２０へ提供される。おのおのの送信機７１８ＴＸは、送信のために、それぞれの空間ストリームを用いてＲＦキャリアを変調する。
【００３４】
ＵＥ７５０では、おのおのの受信機７５４ＲＸが、それぞれのアンテナ７５２を介して信号を受信する。おのおのの受信機７５４ＲＸは、ＲＦキャリアへ変調された情報を復元し、この情報を、受信機（ＲＸ）プロセッサ７５６へ提供する。
【００３５】
ＲＸプロセッサ７５６は、Ｌ１レイヤのさまざまな信号処理機能を実現する。ＲＸプロセッサ７５６は、この情報に対して空間処理を実行し、ＵＥ７５０に向けられた空間ストリームを復元する。複数の空間ストリームが、ＵＥ７５０に向けられている場合、これらは、ＲＸデータ・プロセッサ７５６によって、単一のＯＦＤＭシンボル・ストリームへ結合されうる。ＲＸプロセッサ７５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを含む。おのおののサブキャリアにおけるシンボル、および基準信号は、ｅＮＢ７１０によって送信された最も可能性の高いコンステレーション・ポイントを判定することによって復元および復調される。これら軟判定は、チャネル推定器７５８によって計算されたチャネル推定値に基づきうる。これら軟判定はその後、復号およびデインタリーブされ、物理チャネル上でｅＮＢ７１０によって送信されたオリジナルのデータおよび制御信号が復元される。データおよび制御信号はその後、コントローラ／プロセッサ７５９へ提供される。
【００３６】
コントローラ／プロセッサ７５９は、図６に関して以前に記載されたＬ２レイヤの機能を実現する。ＵＬでは、制御／プロセッサ７５９は、コア・ネットワークからの上部レイヤ・パケットを復元するために、伝送チャネルと論理チャネルとの間の逆多重化、パケット再アセンブリ、解読、ヘッダ伸張、制御信号処理を提供する。Ｌ２レイヤ上のすべてのプロトコル・レイヤを表す上部レイヤ・パケットは、その後、データ・シンク７６２へ提供される。Ｌ３処理のためにも、データ・シンク７６２へさまざまな制御信号が提供されうる。コントローラ／プロセッサ７５９はまた、ＨＡＲＱ動作をサポートするためにアクノレッジメント（ＡＣＫ）および／または否定的アクノレッジメント（ＮＡＣＫ）プロトコルを用いて、誤り検出を担当する。
【００３７】
ＵＬでは、コントローラ／プロセッサ７５９へ上部レイヤ・パケットを提供するために、データ・ソース７６７が使用される。データ・ソース７６７は、Ｌ２レイヤ（Ｌ２）上のすべてのプロトコル・レイヤを表す。ｅノードＢ７１０によるＤＬ送信に関して記載された機能と同様に、コントローラ／プロセッサ７５９は、ヘッダ圧縮、暗号化、パケット・セグメント化および並べ替え、および、ｅＮＢ７１０によるラジオ・リソース割当に基づく論理チャネルと伝送チャネルとの間の多重化を提供することによって、ユーザ・プレーンおよび制御プレーンのためのＬ２レイヤを実現する。さらに、コントローラ／プロセッサ７５９はまた、ＨＡＲＱ動作、喪失パケットの再送信、およびｅＮＢ７１０へのシグナリングを担当する。
【００３８】
ｅＮＢ７１０によって送信されたフィードバックまたは基準信号から、チャネル推定器７５８によって導出されたチャネル推定値が、適切な符号化スキームおよび変調スキームを選択するために、および、空間処理を容易にするために、ＴＸプロセッサ７６８によって使用されうる。ＴＸプロセッサ７６８によって生成された空間ストリームは、個別の送信機７５４ＴＸを介して異なるアンテナ７５２に提供される。おのおのの送信機７５４ＴＸは、送信のために、それぞれの空間ストリームを用いてＲＦキャリアを変調する。
【００３９】
ＵＬ送信は、ＵＥ７５０における受信機機能に関して記載されたものと類似した方式で、ｅＮＢ７１０において処理される。おのおのの受信機７１８ＲＸは、それぞれのアンテナ７２０を介して信号を受信する。おのおのの受信機７１８ＲＸは、ＲＦキャリアへ変調された情報を復元し、この情報を、ＲＸプロセッサ７７０へ提供する。ＲＸプロセッサ７７０は、Ｌ１レイヤを実現する。
【００４０】
コントローラ／プロセッサ７５９は、図６に関して以前に記述されたＬ２レイヤの機能を実現する。ＵＬでは、制御／プロセッサ７５９は、ＵＥ７５０からの上部レイヤ・パケットを復元するために、伝送チャネルと論理チャネルとの間の逆多重化、パケット再アセンブリ、解読、ヘッダ伸張、制御信号処理を提供する。コントローラ／プロセッサ７７５からの上部レイヤ・パケットは、コア・ネットワークへ提供されうる。コントローラ／プロセッサ７５９はまた、ＨＡＲＱ動作をサポートするためにＡＣＫおよび／またはＮＡＣＫプロトコルを用いて、誤り検出を担当する。図１に関連して記載された処理システム１１４は、ＵＥ７５０を含む。特に、この処理システム１１４は、ＴＸプロセッサ７６８、ＲＸプロセッサ７５６、および、コントローラ／プロセッサ７５９を含む。
【００４１】
マルチ・キャリア・システムでは、複数のキャリアにわたる合計電力が、ＵＥについて許容されている合計電力を超えるであろう電力制限シナリオにおけるコンフリクトを解決するために、ＵＥ送信電力を複数のキャリアにわたって統合的に制御するＵＬ電力制御方法が必要とされる。許容されている合計電力は、出力制限を遵守するために、固定された絶対的な最大値によって制限されうるか、あるいは、現在の送信設定に依存する低い値によって制限されうる。ほとんどの場合、電力制限が生じない場合、キャリア当たり、個別の電力制御で十分である。電力制限シナリオでは、１または複数の物理ＵＬチャネルの電力を低減することによって、電力制御ルールが適合するものと比べて、合計電力が低減される必要がありうる。電力を低減することは、電力スケーリングによって、または、特定の物理チャネルを下げることによる。例えば、ＰＵＳＣＨまたはＰＵＣＣＨが、１または複数のキャリアにおいて、同じサブフレームで送信される場合、ＰＵＣＣＨ電力が、まず、必要な電力をＰＵＣＣＨに割り当てることによって、次に、もしあれば、残りの電力をＰＵＳＣＨに割り当てることによって、優先度付けられうる。ＬＴＥでは、ＰＲＡＣＨが同じキャリアまたは別のキャリアで、他のチャネルとともに送信されるべきである場合、新たな通信スキームおよび／または電力優先度付けスキームが必要とされる。
【００４２】
ＬＴＥ  Ｒｅｌ−８では、ＵＥは、アイドル・モードにある場合、初期アクセスのためにＰＲＡＣＨを送信しうる。ＵＥはまた、時間調節タイマの終了後、接続モードにある場合、時間調節を行うために、ＰＲＡＣＨを送信しうる。ＬＴＥ  ＵＬは同期的であるので、ｅＮＢは、ＵＬにおける受信信号同期を維持するために、時間調節コマンドを送信する。ＵＥが、予め定義されたある期間（例えば、５００ミリ秒）よりも長く時間調節コマンドを受信しなかった場合、ＵＥは、ＵＥが送信することを意図している場合、タイミングを再確立するために、ＰＲＡＣＨを最初に送信することを要求される。例えば、ｅＮＢが、接続モードにおけるアイドル期間後、ＤＬデータ到着を示す場合、ＵＥは、ＰＲＡＣＨを使用しうる。ＵＥはさらに、時間調節を確立するために、および、ハンドオーバ後に電力制御を初期化するために、ＰＲＡＣＨを送信しうる。スケジューリング要求（ＳＲ）の処理がサポートされないＥ−ＵＴＲＡＮでは、ＵＥは、ＵＬでのデータ送信を開始する予定である場合には常に、ＰＲＡＣＨを送信する。以下の説明では、ＳＲをサポートするＥ−ＵＴＲＡＮは、タイプＡ  Ｅ−ＵＲＴＡＮと呼ばれ、ＳＲをサポートしないＥ−ＵＴＲＡＮは、タイプＢ  Ｅ−ＵＴＲＡＮと呼ばれる。
【００４３】
マルチキャリア動作が定義されていないＬＴＥ  Ｒｅｌ−８では、ＰＲＡＣＨは、その他のどのチャネルとも同時に送信されないので、タイプＡ  Ｅ−ＵＴＲＡＮにおけるＰＲＡＣＨ優先度付けルールに対するニーズはない。ＬＴＥ  Ｒｅｌ−８では、タイプＢ  Ｅ−ＵＴＲＡＮにおいて、例えば、ＵＬ  ＳＲを示すためにＰＲＡＣＨ信号をも送信されねばならないサブフレームにおいて、ＵＬで、ＡＣＫ／ＮＡＫを用いてＤＬ送信をアクノレッジするためにＵＥが必要とされる場合に、ＰＲＡＣＨ送信とＰＵＣＣＨ送信との衝突が生じうる。ＰＲＡＣＨは、タイプＢ  Ｅ−ＵＴＲＡＮにおけるＳＲの役割を演じるので、ＳＲに関する同様の優先度付けルールが適合すべきである。しかしながら、ＳＲの場合、位置符号化を用いてＡＣＫ／ＮＡＫおよびＳＲを同時に送信するオプションがあるが、このオプションは、ＰＲＡＣＨ送信に適合しない。なぜなら、ＡＣＫ／ＮＡＫは、ＰＲＡＣＨで符号化されないからである。
【００４４】
図８は、第１の典型的な構成を例示するための図解８００である。図９は、第１の典型的な構成を例示するための第２の図解９００である。ＵＥ８０４は、ＡＣＫとともにアクセス・チャネルを送信するために使用する第１のリソース９１０と、ＮＡＣＫとともにアクセス・チャネルを送信するための第２のリソース９２０とに関する情報８１０を、サービス提供ｅＮＢ８０２から受信する。ＵＥ８０４は、ＡＣＫまたはＮＡＣＫをそれぞれ示すために、第１のリソース９１０または第２のリソース９２０のうちの１つでアクセス・チャネル８２０を送信する。１つの構成では、アクセス・チャネルは、ランダム・アクセス・チャネルである。別の構成では、ランダム・アクセス・チャネルは、ＰＲＡＣＨである。
【００４５】
このため、ＰＲＡＣＨおよびＡＣＫ／ＮＡＣＫの同時送信に関する問題を解決するために、Ｅ−ＵＴＲＡＮは、ＡＣＫおよびＮＡＣＫをそれぞれ示すために、利用可能なＰＲＡＣＨリソース・インデクスを、セット９１０およびセット９２０に分割しうる。ＵＥは、その後、リソース９１０でＰＲＡＣＨを送信することによって、ＰＲＡＣＨ送信とともにＡＣＫを通信し、リソース９２０でＰＲＡＣＨを送信することによって、ＰＲＡＣＨ送信とともにＮＡＣＫを通信しうる。別の構成では、ＵＥは、ＰＲＡＣＨのフォーマットを変更することによって、および／または、ＰＲＡＣＨ送信とともに特定のサイクリック・シフトを使用することによって、ＰＲＡＣＨ送信とともにＡＣＫまたはＮＡＣＫを通信しうる。
【００４６】
図１０は、ＰＲＡＣＨが別のチャネルとともに同時に送信されうるか否かを例示するための図解１０００である。ＬＴＥ  Ｒｅｌ−１０では、単一のキャリア波形が維持される必要はないので、ＰＲＡＣＨは、同じ成分キャリアにおいてでさえも、他の物理チャネルと同時に送信されうる。さらに、ＬＴＥ  Ｒｅｌ−１０では、マルチキャリア動作が可能とされる。このため、ＰＲＡＣＨは、他のチャネルと同時に送信されうるので、ＰＲＡＣＨ電力制御および優先度付けが必要とされる。ＬＴＥ  Ｒｅｌ−１０におけるＰＲＡＣＨのための使用ケースは、ＬＴＥ  Ｒｅｌ−８に類似している。第１に、ＵＥは、アイドル・モードにある場合、初期アクセスを求めてＰＲＡＣＨを送信しうる。初期アクセスは単一キャリア・モードで実行されるので、この使用ケースは、ＬＴＥ  Ｒｅｌ−８と比較して、不変である。次に、ＵＥは、時間調節タイマ終了後、接続モードにある場合、時間調節を確立するために、ＰＲＡＣＨを送信しうる。ＬＴＥ  Ｒｅｌ−１０では、キャリアにわたる共通の時間調節のみがサポートされるので、この態様は、ＬＴＥ  Ｒｅｌ−８に対する変化を必要としないだろう。第３に、ＵＥは、時間調節を確立するため、および、ハンドオーバ後に電力制御を開始するために、ＰＲＡＣＨを送信しうる。このハンドオーバ手順は、単一キャリアに基づいて初期電力設定およびタイミングを確立しなければならないので、ＬＴＥ  Ｒｅｌ−８ルールが適合するべきである。第４に、タイプＢ  Ｅ−ＵＴＲＡＮにおいて、ＰＲＡＣＨは、ＳＲインジケーションとして使用される。ＳＲは、単一キャリアのみで送信されねばならないので、解決策は、複数のＰＲＡＣＨの同時送信は必要とはならないであろうという点において、ＬＴＥ  Ｒｅｌ−８と同様でなければならない。さらに、タイミング再確立のためのＰＲＡＣＨと、ＳＲのためのＰＲＡＣＨとを同時に個別に送信する理由はない。Ｒｅｌ−１０＋（つまり、Ｒｅｌ−１０およびそれ以降）シナリオは、複数のキャリアが、一次成分キャリア（ＰＣＣ）と少なくとも１つの二次成分キャリア（ＳＣＣ）とを含んでいる、図１０に要約されている。この図では、以前に定義されたような、ＬＴＥ  Ｒｅｌ−１０およびＬＴＥ  Ｒｅｌ−１１＋およびタイプＡ  Ｅ−ＵＴＲＡＮおよびタイプＢ  Ｅ−ＵＴＲＡＮの場合、「Ｎｏ」は、チャネル・コンビネーションが生じていないことを示し、「Ｙｅｓ」は、チャネル・コンビネーションが生じていることを示し、「Ｎ／Ａ」は、チャネル・コンビネーションが適用可能ではないことを示す。ＰＣＣは、成分キャリアである。ここでは、成分キャリアで送信されたＰＵＣＣＨが、成分キャリアで送信されたＰＵＳＣＨ、または、ＳＣＣで送信されたＰＵＳＣＨのうちの少なくとも１つに対応する。ＳＣＣは、成分キャリアである。ここでは、成分キャリアで送信されたＰＵＳＣＨが、ＰＣＣで送信されたＰＵＣＣＨに対応する。
【００４７】
図１１は、第２の典型的な構成に準じた優先度ルールを例示するための図解１１００である。第２の典型的な構成によれば、ＵＥは、アクセス・チャネルと第２のチャネルとの間での送信電力の優先度付けを行う。ＵＥは、アクセス・チャネルと第２のチャネルとを同時に送信する。そして、アクセス・チャネルと第２のチャネルとのおのおのは、優先度に基づいて決定された送信電力で送信される。アクセス・チャネルは、ランダム・アクセス・チャネル、特に、ＰＲＡＣＨでありうる。アクセス・チャネルおよび第２のチャネルは、図１０において「Ｙｅｓ」で示されているチャネル・コンビネーション・インデクス１，５，８，１０，１４において優先度付けられる。１つの構成では、優先度付けは、図１１に示される通りである。チャネル・コンビネーション１の場合、ＳＣＣでタイミング情報を伝送するＰＲＡＣＨは、ＰＣＣにおける他のどの送信よりも低い優先度を有する。チャネル・コンビネーション５の場合、ＰＣＣでタイミング情報を伝送するＰＲＡＣＨは、ＳＣＣにおけるＰＵＳＣＨ送信よりも高い優先度を有する。チャネル・コンビネーション８の場合、ＰＣＣでＵＬ  ＳＲを示すＰＲＡＣＨは、ＳＣＣで送信されるサウンディング基準信号（ＳＲＳ）よりも高い優先度を有する。チャネル・コンビネーション１０の場合、ＰＣＣでＵＬ  ＳＲを示すＰＲＡＣＨは、ＰＣＣで送信されるＰＵＣＣＨ（または、ＵＣＩを伴うＰＵＳＣＨ）よりも高い優先度を有するか、高いまたは低い優先度を有するように設定可能である。および／または、チャネル・コンビネーション１４の場合、ＰＣＣでＵＬ  ＳＲを示すＰＲＡＣＨは、ＰＣＣで送信されるＳＲＳよりも高い優先度を有する。
【００４８】
前述した物理チャネル優先度付けは、必ずしも、衝突しているチャネル送信のうちの１または複数を落とす必要はないが、これらの電力を優先度付ける必要がある。電力優先度付けによれば、先ず、高い優先度を持つチャネルに、必要な電力が割り当てられ、次に、低い優先度のチャネルに、残りの電力が割り当てられる。２つよりも多い同時チャネル送信が存在する場合、同じ処理が連続的に適用されうる。等しい優先度のチャネルは、同じ係数を用いてスケールされうるか、あるいは、その他のルールが適用されうる。例えば、電力制限シナリオにおける等しい優先度のチャネル間での電力分配は、ＵＥの実装に依存しうる。
【００４９】
２つよりも多くの物理チャネル・コンビネーションの組み合わせが生じる場合がある。これらのために、ＰＲＡＣＨ送信に関する限り、「優先度ループ」が回避されるように考慮される限り、２つのチャネルに関する同じ優先度ルールが適用されうる。例えば、ＰＲＡＣＨの優先度がチャネルＸの優先度よりも高い場合、優先度ループは回避されねばならない。ＰＲＡＣＨの優先度は、チャネルＹの優先度よりも低い。しかしながら、チャネルＸの優先度は、チャネルＹの優先度よりも高い。
【００５０】
図１２は、第２の典型的な構成を例示するための図解１２００である。図１２に図示されるように、ＵＥ１２０４は、アクセス・チャネル１２２０とチャネル１２３０との間での送信電力の優先度付けを行う（１２１０）。ＵＥ１２０４は、アクセス・チャネル１２２０と第２のチャネル１２３０とをｅＮＢ１２０２へ同時に送信する。アクセス・チャネル１２２０および第２のチャネル１２３０のおのおのは、優先度に基づいて決定された送信電力で送信される。ＵＥ１２０４は、高い優先度のチャネルへ、必須の送信電力を割り当て、低い優先度のチャネルへ、残りの送信電力を割り当てる。前述したように、アクセス・チャネルは、ランダム・アクセス・チャネル、より詳しくは、ＰＲＡＣＨでありうる。
【００５１】
通常は、例えばＬＴＥ  Ｒｅｌ−８のように単一のキャリア内では、Ｅ−ＵＴＲＡＮは、ＰＲＡＣＨとＳＲＳとのために、オーバラップしないリソースを割り当てる。マルチキャリア設定では、別のキャリアが既に直交化されているので、これは必要ではない。しかしながら、これは、電力制限シナリオのために、全面的に適用できる訳ではない。電力制限シナリオのために、ＳＲＳおよびＰＲＡＣＨは、例えば、図１１に図示されるように優先度付けられうる。あるいは、ＳＲＳは、ＰＲＡＣＨ電力を、電力「パンクチャ」しうる。このように、ＳＲＳは単一のＯＦＤＭシンボルで送信されるので、（ＳＲＳよりも高い優先度を有しうる）ＰＲＡＣＨの送信電力が低減されうるか、または、ＰＲＡＣＨ送信中に限り、ＰＲＡＣＨの送信が、１シンボルにおいて落ちる。このような動作は、指定されうる。あるいは、このような動作は、準静的なＲＲＣシグナリングによって明示的に許可／却下されうる。多くの場合、ＳＲＳ送信は、ＰＲＡＣＨ送信のガード期間内に落ちることがあるので、ＵＥ送信電力の観点から、衝突は無いであろう。
【００５２】
あるＰＲＡＣＨフォーマットは、複数の連続するサブフレームにわたる送信を含んでいる。ＰＲＡＣＨ送信電力は、この場合、ｅＮＢによる正確なＰＲＡＣＨ検出を可能にするために、サブフレームにおいて等しく保たれうる。その他の物理チャネル割当は、連続するＰＲＡＣＨサブフレームにおいて異なりうる。あるいは、これらの電力は異なりうるので、ＰＲＡＣＨ電力を、複数のサブフレームにわたって同じ電力に維持することは、ある電力制限シナリオでは、コンフリクトとなる場合がありうる。何れの場合であれ、ＰＲＡＣＨ電力が最初に割り当てられうるので、ＰＲＡＣＨは、含まれるその他のすべてのチャネルよりも高い優先度である場合には、コンフリクトは生じない。ＰＲＡＣＨが、ＰＲＡＣＨサブフレームのうちの少なくとも１つにおいて、低い優先度のチャネルである場合、問題が生じうる。チャネル・コンビネーション１および１０は、図１１に図示されるように、ＰＲＡＣＨがより低い優先度を持つことを可能にする。
【００５３】
ＳＣＣでタイミング情報を伝送するＰＲＡＣＨが、ＰＣＣにおける他の何れの送信よりも低い優先度を有しているチャネル・コンビネーション１に関し、ＵＥは、ＰＲＡＣＨ送信を開始する前に、ＰＲＡＣＨサブフレームのおのおのにおいて電力キャップを事前計算し、すべてのＰＲＡＣＨサブフレームにおける最低の電力キャップを適用しうる。このようなスキームは、ＰＲＡＣＨ電力変化を回避する。しかしながら、このスキームは、必要な電力を事前計算することを可能にするために、あるＤＬ制御情報を早期に復号するようにＵＥに対して要求する。事前計算は、ＵＥに負荷をもたらしうる。さらに、チャネル・コンビネーション１は、適切なネットワーク・シグナリングによって回避されうるので、最適な解決策は必要ではないかもしれない。ＵＥ処理タイムラインを修正することを必要としない別の構成では、ＵＥは、サブフレームのおのおのにおいて、個別に電力キャップを適用しうる（したがって、ＰＲＡＣＨ電力が、サブフレームにわたって変動しうる）ので、後続するサブフレームでは、ＵＥは、現在の電力キャップ、または、先行するサブフレームにおける電力キャップのうちの少ない方を適用しうる。一般に、ＰＲＡＣＨ電力は、これらの場合のうちの一部のみでしか変動しないであろう。
【００５４】
ＰＣＣでＵＬ  ＳＲを示すＰＲＡＣＨが、ＰＣＣで送信されるＰＵＣＣＨよりも低い優先度を有する（これは、ＰＲＡＣＨ優先度が設定可能であり、この設定が、ＰＲＡＣＨが低い優先度を持つように設定される場合にのみ生じる）チャネル・コンビネーション１０に関し、ＵＬにおけるＰＲＡＣＨおよびＨＡＲＱフィードバックのすべての衝突を回避することは極めて負荷がかかるので、適切なネットワーク・シグナリングは常に、特定のチャネル・コンビネーションを回避することができない。１つの解決策は、マルチ・サブフレームＰＲＡＣＨフォーマットが使用される場合には常に、低い優先度を持つＰＲＡＣＨを設定することを却下することである。このため、この１つの解決策では、単一サブフレームのＰＲＡＣＨフォーマットが使用される場合にのみ、ＰＲＡＣＨは、低い優先度で設定される。あるいは、チャネル・コンビネーション１に関して前述したものと同じ解決策が適用されうる。
【００５５】
図１２に再び示すように、ＰＲＡＣＨが１または複数の追加のチャネルとともに送信されるべきである場合、ＬＴＥ  Ｒｅｌ−８に対して、第２の典型的な方法もまた適用されうる。１つの構成では、ＰＲＡＣＨおよびＡＣＫ／ＮＡＣＫが同時に送信されるべきである場合、送信電力をゼロに下げることによって、ＰＲＡＣＨ送信またはＡＣＫ／ＮＡＣＫ送信のうちの１つが落とされうる。別の構成では、設定可能な優先度付けが可能とされうる。これは、新たな１ビットの情報要素（ＩＥ）をＲＲＣパラメータに含めることによって達成されうる。ビットを「０」または「１」に設定することは、ＰＲＡＣＨ優先度と、ＡＣＫ／ＮＡＫ優先度とを切り換えることになるであろう。このような情報を含めることは、ＳＲリソースがＵＥへ割り当てられていない場合、すなわち、ＵＥが、タイプＢ  Ｅ−ＵＴＲＡＮで動作している場合にのみ必要となるであろう。
【００５６】
図１３は、無線通信の第１の方法のフロー・チャート１３００である。この方法によれば、ＵＥは、ＡＣＫとともにアクセス・チャネルを送信するために使用する第１のリソースと、ＮＡＣＫとともにアクセス・チャネルを送信するための第２のリソースとに関する情報を受信する（１３０２）。ＵＥは、第１のリソースおよび第２のリソースのうちの１つでアクセス・チャネルを送信する（１３０４）。ＵＥは、ＡＣＫを示すために第１のリソースでアクセス・チャネルを送信し、ＮＡＣＫを示すために第２のリソースでアクセス・チャネルを送信する。アクセス・チャネルは、ランダム・アクセス・チャネル、さらに詳しくは、ＰＲＡＣＨでありうる。オプションとして、ＵＥは、ＡＣＫおよびＮＡＣＫ無しでアクセス・チャネルを送信するために使用するその他のリソースに関する情報を受信しうる。
【００５７】
図１４は、無線通信の第２の方法のフロー・チャート１４００である。図１４に示されるように、ＵＥは、アクセス・チャネルと第２のチャネルとの間での送信電力の優先度付けを行う（１４０２）。ＵＥは、高い優先度を持つチャネルへ、必須の送信電力を割り当て（１４０４）、低い優先度を持つチャネルへ、残りの送信電力を割り当てる（１４０６）。電力制限が無い場合、残りの送信電力は、高い優先度を持つチャネルへの必須の送信電力の割当後に残った送信電力（１４０４）、または、低い優先度を持つチャネルのために必要な電力（１４０６）、のうちの少ない方でありうる。さらに、ＵＥは、アクセス・チャネルおよび第２のチャネルを同時に送信する（１４０８）。アクセス・チャネルおよび第２のチャネルのおのおのは、優先度に基づいて決定された送信電力で送信される（１４０８）。アクセス・チャネルは、ランダム・アクセス・チャネル、さらに詳しくは、ＰＲＡＣＨでありうる。ＰＲＡＣＨおよび第２のチャネルは、複数の成分キャリアのうちの少なくとも１つの成分キャリアで送信されうる。
【００５８】
１つの構成では、複数の成分キャリアは、ＰＣＣと、少なくとも１つのＳＣＣを含んでいる。そして、ＰＲＡＣＨが、ＰＣＣでタイミング情報を伝送し、第２のチャネルが、少なくとも１つのＳＣＣのうちのＳＣＣで送信される場合、ＵＥは、ＰＲＡＣＨに第１の優先度を、第２のチャネルに第２の優先度を割り当てることによって、ＰＲＡＣＨと第２のチャネルとの間での送信電力の優先度付けを行う。別の構成では、図１１のチャネル・コンビネーション５に示されるように、第１の優先度は、第２の優先度よりも高い。
【００５９】
１つの構成では、複数の成分キャリアは、ＰＣＣと、少なくとも１つのＳＣＣを含んでいる。そして、ＰＲＡＣＨが、ＰＣＣでＵＬ  ＳＲを示し、第２のチャネルが、少なくとも１つのＳＣＣのうちのＳＣＣまたはＰＣＣでＳＲＳを伝送する場合、ＵＥは、ＰＲＡＣＨに第１の優先度を、第２のチャネルに第２の優先度を割り当てることによって、ＰＲＡＣＨと第２のチャネルとの間での送信電力の優先度付けを行う。別の構成では、図１１のチャネル・コンビネーション８，１４に示されるように、第１の優先度は、第２の優先度よりも高い。
【００６０】
１つの構成では、複数の成分キャリアは、ＰＣＣおよび少なくとも１つのＳＣＣを含んでいる。そして、ＰＲＡＣＨが、ＰＣＣでＵＬ  ＳＲを示し、第２のチャネルが、ＰＣＣで送信されるＰＵＣＣＨである場合、ＵＥは、ＰＲＡＣＨに第１の優先度を、第２のチャネルに第２の優先度を割り当てることによって、ＰＲＡＣＨと第２のチャネルとの間での送信電力の優先度付けを行う。別の構成では、図１１のチャネル・コンビネーション１０に示されるように、第１の優先度は、第２の優先度よりも高い。
【００６１】
１つの構成では、複数の成分キャリアは、ＰＣＣおよび少なくとも１つのＳＣＣを含んでいる。そして、ＰＲＡＣＨが、少なくとも１つのＳＣＣのうちのＳＣＣでタイミング情報を伝送し、第２のチャネルが、ＰＣＣで送信される場合、ＵＥは、ＰＲＡＣＨに第１の優先度を、第２のチャネルに第２の優先度を割り当てることによって、ＰＲＡＣＨと第２のチャネルとの間での送信電力の優先度付けを行う。別の構成では、図１１のチャネル・コンビネーション１に示されるように、第１の優先度は、第２の優先度よりも低い。
【００６２】
１つの構成では、複数の成分キャリアは、ＰＣＣおよび少なくとも１つのＳＣＣを含んでいる。ＰＲＡＣＨが、ＰＣＣでＵＬ  ＳＲを示し、第２のチャネルが、ＰＣＣで送信されるＰＵＣＣＨである場合、ＵＥは、ＰＲＡＣＨに第１の優先度を、第２のチャネルに第２の優先度を割り当てることによって、ＰＲＡＣＨと第２のチャネルとの間での送信電力の優先度付けを行う。別の構成では、優先度が設定可能であり、ＰＲＡＣＨの優先度が、第２のチャネルの優先度よりも低くなるように設定されている場合、第１の優先度は、図１１のチャネル・コンビネーション１０に示されるように、第２の優先度よりも低い。
【００６３】
図１５は、無線通信の第２の方法にしたがう別のフロー・チャート１５００である。図１５に図示されるように、ＵＥは、ＰＲＡＣＨと第２のチャネルとの間での送信電力の優先度付けを行う（１５０２）。チャネル・コンビネーション８，１４の場合、ＵＥは、第２のチャネルが送信される１つのＯＦＤＭシンボルの間、ＰＲＡＣＨを送信するための送信電力を下げる（１５０４）。ＵＥは、ＰＲＡＣＨと第２のチャネルとを同時に送信する。ここでは、ＰＲＡＣＨおよび第２のチャネルのおのおのは、優先度に基づいて決定された送信電力で送信される（１５０６）。
【００６４】
図１６は、無線通信の第２の方法にしたがうさらに別のフロー・チャート１６００である。この方法によれば、ＵＥは、ＰＲＡＣＨと第２のチャネルとの間での送信電力の優先度付けを行う（１６０２）。ＵＥは、ＰＲＡＣＨの送信のための電力キャップを決定する（１６０４）。ＵＥは、ＰＲＡＣＨの送信のための電力キャップを適用する（１６０６）。ＵＥは、ＰＲＡＣＨと第２のチャネルとを同時に送信する（１６０８）。ＰＲＡＣＨおよび第２のチャネルのおのおのは、優先度に基づいて決定された送信電力で送信される（１６０８）。
【００６５】
１つの構成では、ＵＥは、ＰＲＡＣＨが送信されるおのおののサブフレームにおいて、ＰＲＡＣＨの送信のための電力キャップを適用する。１つの構成では、ＵＥは、ＰＲＡＣＨが送信される複数のサブフレームのおのおののための電力キャップを決定しうる。さらに、このような構成では、適用される電力キャップは、決定された電力キャップのうちの最低のものである。１つの構成では、ＵＥは、ＰＲＡＣＨの送信のための電力キャップを決定しうる。このような構成では、ＰＲＡＣＨの送信のために適用される電力キャップは、決定された電力キャップと、以前に適用された電力キャップのうちの最低の電力キャップである。
【００６６】
チャネル・コンビネーションが、図１１のチャネル・コンビネーション１０で示される通りであり、ＰＲＡＣＨ優先度が、第２のチャネルの優先度よりも低い場合、ＰＲＡＣＨの送信のために単一フレームのＰＲＡＣＨフォーマットが使用される場合にのみ、ＰＲＡＣＨに、第２のチャネルよりも低い優先度を割り当てることによって、ＵＥは、ＰＲＡＣＨと第２のチャネルとの間での送信電力の優先度付けを行う。１つの構成では、チャネル・コンビネーションが、図１１のチャネル・コンビネーション１０で示される通りであり、ＰＲＡＣＨ優先度が、第２のチャネルの優先度よりも低い場合、ＵＥは、ＰＲＡＣＨが送信されるおのおののサブフレームにおけるＰＲＡＣＨの送信のための電力キャップを適用する。１つの構成では、ＵＥは、ＰＲＡＣＨが送信される複数のサブフレームのおのおののための電力キャップを決定する。このような構成では、適用される電力キャップは、決定された電力キャップのうちの最低のものである。別の構成では、ＵＥは、ＰＲＡＣＨの送信のための電力キャップを決定する。このような構成では、ＰＲＡＣＨの送信のために適用される電力キャップは、決定された電力キャップと、以前に適用された電力キャップと、のうちの最低の電力キャップである。
【００６７】
図１７は、典型的な装置の機能を例示する概念ブロック図１７００である。装置１００は、アクセス・チャネルと第２のチャネルとの間での送信電力の優先度付けを行うように構成された優先度付けモジュール１７０２を含む。必須の送信電力を高い優先度を持つチャネルへ割り当て、残りの電力を低い優先度を持つチャネルへ割り当てるように構成された電力決定および割当モジュール１７０４へ、優先度情報が渡される。この装置１００はさらに、ＡＣＫとともにアクセス・チャネルを送信するために使用する第１のリソースと、ＮＡＣＫとともにアクセス・チャネルを送信するための第２のリソースとに関する情報１７０８を受信するように構成された受信モジュール１７０６を含みうる。電力決定および割当モジュール１７０４からの情報、および／または、受信モジュール１７０６からの情報が、送信モジュール１７１０に渡される。送信モジュール１７１０は、アクセス・チャネル１７１２および第２のチャネル１７１４を同時に送信するように構成される。アクセス・チャネル１７１２および第２のチャネル１７１４のおのおのは、優先度に基づいて決定された送信電力で送信される。送信モジュール１７１０はまた、ＡＣＫまたはＮＡＣＫをそれぞれ示すために、第１のリソースまたは第２のリソースのうちの１つでアクセス・チャネルを送信するようにも構成される。
【００６８】
送信モジュール１７０６および／または電力決定および割当モジュール１７０４は、第２のチャネルが送信される１つのＯＦＤＭシンボルの間、ＰＲＡＣＨを送信するための送信電力を下げるように構成される。電力決定および割当モジュール１７０４はまた、ＰＲＡＣＨがマルチ・サブフレーム・フォーマットで送信される場合、ＰＲＡＣＨの送信のための電力キャップを決定するようにも構成される。送信モジュール１７０６は、決定された電力キャップを適用するように構成される。この装置１００は、前述したフロー・チャートにおけるステップのおのおのを実行する追加のモジュールを含みうる。このため、前述したフロー・チャートのおのおののステップは、このモジュールによって実行され、装置１００は、それらのモジュールのうちの１または複数を含みうる。
【００６９】
１つの構成では、無線通信のための装置１００は、アクセス・チャネルと第２のチャネルとの間での送信電力の優先度付けを行うための手段を含む。この装置１００はさらに、アクセス・チャネルと第２のチャネルとを同時に送信するための手段を含む。アクセス・チャネルと第２のチャネルとのおのおのは、優先度に基づいて決定された送信電力で送信される。この装置１００はさらに、必要な送信電力を、高い優先度のチャネルに割り当てるための手段と、残りの送信電力を、低い優先度のチャネルに割り当てるための手段と、を含みうる。この装置１００はさらに、第２のチャネルが送信される１つのＯＦＤＭシンボルの間、ＰＲＡＣＨを送信するための送信電力を下げるための手段を含みうる。この装置１００はさらに、ＰＲＡＣＨが送信されるおのおののサブフレームにおけるＰＲＡＣＨの送信のための電力キャップを適用するための手段を含みうる。この装置１００は、ＰＲＡＣＨが送信される複数のサブフレームのおのおののための電力キャップを決定するための手段を含みうる。このような構成では、適用される電力キャップは、決定された電力キャップのうちの最低のものである。装置１００はさらに、ＰＲＡＣＨの送信のための電力キャップを決定するための手段を含みうる。このような構成では、ＰＲＡＣＨの送信のために適用される電力キャップは、決定された電力キャップと、以前に適用された電力キャップと、のうちの最低の電力キャップである。この装置１００はさらに、ＰＲＡＣＨと第２のチャネルとの間での送信電力の優先度付けを行い、ＰＲＡＣＨの送信のために単一フレームのＰＲＡＣＨフォーマットが使用される場合にのみ、ＰＲＡＣＨに、第２のチャネルよりも低い優先度を割り当てる手段を含みうる。前述の手段は、前述した装置１００のモジュールのうちの１または複数、および／または、前述の手段によって記載された機能を実行するように構成された処理システム１１４でありうる。前述したように、処理システム１１４は、ＴＸプロセッサ７６８、ＲＸプロセッサ７５６、およびコントローラ／プロセッサ７５９を含む。これゆえ、１つの構成では、前述の手段は、前述の手段によって詳述された機能を実行するように構成されたＴＸプロセッサ７６８、ＲＸプロセッサ７５６、およびコントローラ／プロセッサ７５９でありうる。
【００７０】
１つの構成では、無線通信のための装置１００は、ＡＣＫとともにアクセス・チャネルを送信するために使用する第１のリソースと、ＮＡＣＫとともにアクセス・チャネルを送信するための第２のリソースとに関する情報を受信するための手段を含む。この装置１００はさらに、第１のリソースまたは第２のリソースのうちの１つでアクセス・チャネルを送信するための手段を含む。前述の手段は、前述した装置１００のモジュールのうちの１または複数、および／または、前述の手段によって記載された機能を実行するように構成された処理システム１１４でありうる。前述したように、処理システム１１４は、ＴＸプロセッサ７６８、ＲＸプロセッサ７５６、およびコントローラ／プロセッサ７５９を含む。これゆえ、１つの構成では、前述の手段は、前述の手段によって詳述された機能を実行するように構成されたＴＸプロセッサ７６８、ＲＸプロセッサ７５６、およびコントローラ／プロセッサ７５９でありうる。
【００７１】
開示された処理のステップの具体的な順序または階層は、典型的なアプローチの例示であることが理解される。設計選択に基づいて、これら処理におけるステップの具体的な順序または階層は、再構成されうることが理解される。同伴する方法請求項は、さまざまなステップの要素を、サンプル順で示しており、示された具体的な順序または階層に限定されないことが意味される。
【００７２】
前述の記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、請求項に含められていると意図される。
以下に、本願出願の当初の特許請求の範囲に記載された発明を付記する。
［１］無線通信の方法であって、
アクセス・チャネルと第２のチャネルとの間での送信電力の優先度付けを行うことと、
前記アクセス・チャネルと前記第２のチャネルとを同時に送信することと、ここで、前記アクセス・チャネルと前記第２のチャネルとのおのおのは、優先度に基づいて決定された送信電力で送信される、
を備える方法。
［２］高い優先度のチャネルに、必須の送信電力を割り当てることと、
低い優先度のチャネルに、残りの送信電力を割り当てることと、
をさらに備える［１］に記載の方法。
［３］前記アクセス・チャネルは、物理ランダム・アクセス・チャネル（ＰＲＡＣＨ）である、［１］に記載の方法。
［４］前記ＰＲＡＣＨおよび前記第２のチャネルは、複数の成分キャリアのうちの少なくとも１つの成分キャリアで送信される、［３］に記載の方法。
［５］前記複数の成分キャリアは、一次成分キャリアと、少なくとも１つの二次成分キャリアとを含み、
前記送信電力の優先度付けを行うことは、前記ＰＲＡＣＨが、前記一次成分キャリアでタイミング情報を伝送し、前記第２のチャネルが、前記少なくとも１つの二次成分キャリアのうちの二次成分キャリアで送信される物理アップリンク共有チャネル（ＰＵＳＣＨ）である場合、前記ＰＲＡＣＨに第１の優先度を、前記第２のチャネルに第２の優先度を割り当てることを含む、［４］に記載の方法。
［６］前記第１の優先度は、前記第２の優先度よりも高い、［５］に記載の方法。
［７］前記複数の成分キャリアは、一次成分キャリアと、少なくとも１つの二次成分キャリアとを含み、
前記送信電力の優先度付けを行うことは、前記ＰＲＡＣＨが、前記一次成分キャリアでアップリンク・スケジューリング要求を示し、前記第２のチャネルが、前記少なくとも１つの二次成分キャリアのうちの二次成分キャリアまたは前記一次成分キャリアでサウンディング基準信号（ＳＲＳ）を伝送する場合、前記ＰＲＡＣＨに第１の優先度を、前記第２のチャネルに第２の優先度を割り当てることを含む、［４］に記載の方法。
［８］前記第１の優先度は、前記第２の優先度よりも高い、［７］に記載の方法。
［９］前記第２のチャネルが送信される１つの直交周波数分割多重（ＯＦＤＭ）シンボルの間、前記ＰＲＡＣＨを送信するための送信電力を下げること、をさらに含む［７］に記載の方法。
［１０］前記複数の成分キャリアは、一次成分キャリアと、少なくとも１つの二次成分キャリアとを含み、
前記送信電力の優先度付けを行うことは、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てることを含む、［４］に記載の方法。
［１１］前記第１の優先度は、前記第２の優先度よりも高い、［１０］に記載の方法。
［１２］前記複数の成分キャリアは、一次成分キャリアと、少なくとも１つの二次成分キャリアとを含み、
前記送信電力の優先度付けを行うことは、前記ＰＲＡＣＨが、少なくとも１つの二次成分キャリアのうちの二次成分キャリアでタイミング情報を伝送し、前記第２のチャネルが、前記一次成分キャリアで送信される場合、前記ＰＲＡＣＨに第１の優先度を、前記第２のチャネルに第２の優先度を割り当てることを含む、［４］に記載の方法。
［１３］前記第１の優先度は、前記第２の優先度よりも低い、［１２］記載の方法。
［１４］前記ＰＲＡＣＨが送信されるおのおののサブフレームにおける前記ＰＲＡＣＨの送信のための電力キャップを適用すること、をさらに備える［１３］に記載の方法。
［１５］前記ＰＲＡＣＨが送信される複数のサブフレームのおのおののための電力キャップを決定することをさらに備え、
前記適用される電力キャップは、前記決定された電力キャップのうちの最低のものである、［１４］に記載の方法。
［１６］前記ＰＲＡＣＨの送信のための電力キャップを決定することをさらに備え、
前記ＰＲＡＣＨの送信のために適用される電力キャップは、前記決定された電力キャップと、以前に適用された電力キャップと、のうちの最低の電力キャップである、［１４］に記載の方法。
［１７］前記複数の成分キャリアは、一次成分キャリアと、少なくとも１つの二次成分キャリアとを含み、
前記送信電力の優先度付けを行うことは、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てることを含む、［４］に記載の方法。
［１８］前記第１の優先度は、前記第２の優先度よりも低い、［１７］に記載の方法。
［１９］前記送信電力の優先度付けを行うことは、前記ＰＲＡＣＨの送信のために単一フレームのＰＲＡＣＨフォーマットが使用される場合にのみ、前記ＰＲＡＣＨに、前記第２のチャネルよりも低い優先度を割り当てることを含む、［１８］に記載の方法。
［２０］前記ＰＲＡＣＨが送信されるおのおののサブフレームにおける前記ＰＲＡＣＨの送信のための電力キャップを適用すること、をさらに含む［１８］に記載の方法。
［２１］前記ＰＲＡＣＨが送信される複数のサブフレームのおのおののための電力キャップを決定することをさらに含み、
前記適用される電力キャップは、前記決定された電力キャップのうちの最低のものである、［２０］に記載の方法。
［２２］前記ＰＲＡＣＨの送信のための電力キャップを決定することをさらに含み、
前記ＰＲＡＣＨの送信のために適用される電力キャップは、前記決定された電力キャップと、以前に適用された電力キャップと、のうちの最低の電力キャップである、［２０］に記載の方法。
［２３］無線通信の方法であって、
アクノレッジメント（ＡＣＫ）とともにアクセス・チャネルを送信するために使用する第１のリソースと、否定的アクノレッジメント（ＮＡＣＫ）とともに前記アクセス・チャネルを送信するための第２のリソースとに関する情報を受信することと、
前記第１のリソースおよび前記第２のリソースのうちの１つで、前記アクセス・チャネルを送信することと、
を備える方法。
［２４］前記アクセス・チャネルは、物理ランダム・アクセス・チャネル（ＰＲＡＣＨ）である、［２３］に記載の方法。
［２５］無線通信のための装置であって、
アクセス・チャネルと第２のチャネルとの間での送信電力の優先度付けを行うための手段と、
前記アクセス・チャネルと前記第２のチャネルとを同時に送信するための手段と、ここで、前記アクセス・チャネルと前記第２のチャネルとのおのおのは、優先度に基づいて決定された送信電力で送信される、
を備える装置。
［２６］高い優先度のチャネルに、必須の送信電力を割り当てるための手段と、
低い優先度のチャネルに、残りの送信電力を割り当てるための手段と、
をさらに備える［２５］に記載の装置。
［２７］前記アクセス・チャネルは、物理ランダム・アクセス・チャネル（ＰＲＡＣＨ）である、［２５］に記載の装置。
［２８］前記ＰＲＡＣＨおよび前記第２のチャネルは、複数の成分キャリアのうちの少なくとも１つの成分キャリアで送信される、［２７］に記載の装置。
［２９］前記複数の成分キャリアは、一次成分キャリアと、少なくとも１つの二次成分キャリアとを含み、
前記送信電力を優先度付けるための手段は、前記ＰＲＡＣＨが、前記一次成分キャリアでタイミング情報を伝送し、前記第２のチャネルが、前記少なくとも１つの二次成分キャリアのうちの二次成分キャリアで送信される物理アップリンク共有チャネル（ＰＵＳＣＨ）である場合、前記ＰＲＡＣＨに第１の優先度を、前記第２のチャネルに第２の優先度を割り当てるための手段を含む、［２８］に記載の装置。
［３０］前記第１の優先度は、前記第２の優先度よりも高い、［２９］に記載の装置。
［３１］前記複数の成分キャリアは、一次成分キャリアと、少なくとも１つの二次成分キャリアとを含み、
前記送信電力を優先度付けるための手段は、前記ＰＲＡＣＨが、前記一次成分キャリアでアップリンク・スケジューリング要求を示し、前記第２のチャネルが、前記少なくとも１つの二次成分キャリアのうちの二次成分キャリアまたは前記一次成分キャリアでサウンディング基準信号（ＳＲＳ）を伝送する場合、前記ＰＲＡＣＨに第１の優先度を、前記第２のチャネルに第２の優先度を割り当てるための手段を含む、［２８］に記載の装置。
［３２］前記第１の優先度は、前記第２の優先度よりも高い、［３１］に記載の装置。
［３３］前記第２のチャネルが送信される１つの直交周波数分割多重（ＯＦＤＭ）シンボルの間、前記ＰＲＡＣＨを送信するための送信電力を下げるための手段、をさらに備える［３１］に記載の装置。
［３４］前記複数の成分キャリアは、一次成分キャリアと、少なくとも１つの二次成分キャリアとを含み、
前記送信電力を優先度付けるための手段は、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てるための手段を含む、［２８］に記載の装置。
［３５］前記第１の優先度は、前記第２の優先度よりも高い、［３４］に記載の装置。
［３６］前記複数の成分キャリアは、一次成分キャリアと、少なくとも１つの二次成分キャリアとを含み、
前記送信電力を優先度付けるための手段は、前記ＰＲＡＣＨが、少なくとも１つの二次成分キャリアのうちの二次成分キャリアでタイミング情報を伝送し、前記第２のチャネルが、前記一次成分キャリアで送信される場合、前記ＰＲＡＣＨに第１の優先度を、前記第２のチャネルに第２の優先度を割り当てるための手段を含む、［２８］に記載の装置。
［３７］前記第１の優先度は、前記第２の優先度よりも低い、［３６］に記載の装置。
［３８］前記ＰＲＡＣＨが送信されるおのおののサブフレームにおける前記ＰＲＡＣＨの送信のための電力キャップを適用するための手段、をさらに含む［３７］に記載の装置。
［３９］前記ＰＲＡＣＨが送信される複数のサブフレームのおのおののための電力キャップを決定するための手段をさらに含み、
前記適用される電力キャップは、前記決定された電力キャップのうちの最低のものである、［３８］に記載の装置。
［４０］前記ＰＲＡＣＨの送信のための電力キャップを決定するための手段をさらに含み、
前記ＰＲＡＣＨの送信のために適用される電力キャップは、前記決定された電力キャップと、以前に適用された電力キャップと、のうちの最低の電力キャップである、［３８］に記載の装置。
［４１］前記複数の成分キャリアは、一次成分キャリアと、少なくとも１つの二次成分キャリアとを含み、
前記送信電力を優先度付けるための手段は、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てるための手段を含む、［２８］に記載の装置。
［４２］前記第１の優先度は、前記第２の優先度よりも低い、［４１］に記載の装置。
［４３］前記送信電力を優先度付けるための手段は、前記ＰＲＡＣＨの送信のために単一フレームのＰＲＡＣＨフォーマットが使用される場合にのみ、前記ＰＲＡＣＨに、前記第２のチャネルよりも低い優先度を割り当てるための手段を含む、［４２］に記載の装置。
［４４］前記ＰＲＡＣＨが送信されるおのおののサブフレームにおける前記ＰＲＡＣＨの送信のための電力キャップを適用するための手段、をさらに含む、［４２］に記載の装置。
［４５］前記ＰＲＡＣＨが送信される複数のサブフレームのおのおののための電力キャップを決定するための手段をさらに含み、
前記適用される電力キャップは、前記決定された電力キャップのうちの最低のものである、［４４］に記載の装置。
［４６］前記ＰＲＡＣＨの送信のための電力キャップを決定するための手段をさらに含み、
前記ＰＲＡＣＨの送信のために適用される電力キャップは、前記決定された電力キャップと、以前に適用された電力キャップと、のうちの最低の電力キャップである、［４４］に記載の装置。
［４７］無線通信のための装置であって、
アクノレッジメント（ＡＣＫ）とともにアクセス・チャネルを送信するために使用する第１のリソースと、否定的アクノレッジメント（ＮＡＣＫ）とともに前記アクセス・チャネルを送信するための第２のリソースとに関する情報を受信するための手段と、
前記第１のリソースおよび前記第２のリソースのうちの１つで、前記アクセス・チャネルを送信するための手段と、
を備える装置。
［４８］前記アクセス・チャネルは、物理ランダム・アクセス・チャネル（ＰＲＡＣＨ）である、［４７］に記載の装置。
［４９］無線通信のための装置であって、
アクセス・チャネルと第２のチャネルとの間での送信電力の優先度付けを行い、
前記アクセス・チャネルと前記第２のチャネルとを同時に送信する、ここで、前記アクセス・チャネルと前記第２のチャネルとのおのおのは、優先度に基づいて決定された送信電力で送信される、
ように構成された少なくとも１つのプロセッサ、を備える装置。
［５０］前記少なくとも１つのプロセッサはさらに、
高い優先度のチャネルに、必須の送信電力を割り当て、
低い優先度のチャネルに、残りの送信電力を割り当てる
ように構成された、［４９］に記載の装置。
［５１］前記アクセス・チャネルは、物理ランダム・アクセス・チャネル（ＰＲＡＣＨ）である、［４９］に記載の装置。
［５２］前記ＰＲＡＣＨおよび前記第２のチャネルは、複数の成分キャリアで送信され、
前記複数の成分キャリアは、一次成分キャリアと、少なくとも１つの二次成分キャリアとを含み、
前記少なくとも１つのプロセッサは、前記ＰＲＡＣＨが、前記一次成分キャリアでタイミング情報を伝送し、前記第２のチャネルが、前記少なくとも１つの二次成分キャリアのうちの二次成分キャリアで送信される物理アップリンク共有チャネル（ＰＵＳＣＨ）である場合、前記ＰＲＡＣＨに第１の優先度を、前記第２のチャネルに第２の優先度を割り当てることによって、前記送信電力の優先度付けを行うように構成された、［５１］に記載の装置。
［５３］前記ＰＲＡＣＨおよび前記第２のチャネルは、複数の成分キャリアで送信され、
前記複数の成分キャリアは、一次成分キャリアと、少なくとも１つの二次成分キャリアとを含み、
前記少なくとも１つのプロセッサは、前記ＰＲＡＣＨが、前記一次成分キャリアでアップリンク・スケジューリング要求を示し、前記第２のチャネルが、前記少なくとも１つの二次成分キャリアのうちの二次成分キャリアまたは前記一次成分キャリアでサウンディング基準信号（ＳＲＳ）を伝送する場合、前記ＰＲＡＣＨに第１の優先度を、前記第２のチャネルに第２の優先度を割り当てることによって、前記送信電力の優先度付けを行うように構成された、［５１］に記載の装置。
［５４］前記ＰＲＡＣＨおよび前記第２のチャネルは、複数の成分キャリアで送信され、
前記複数の成分キャリアは、一次成分キャリアと、少なくとも１つの二次成分キャリアとを含み、
前記少なくとも１つのプロセッサは、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てることによって、前記送信電力の優先度付けを行うように構成された、［５１］に記載の装置。
［５５］前記ＰＲＡＣＨおよび前記第２のチャネルは、複数の成分キャリアで送信され、
前記複数の成分キャリアは、一次成分キャリアと、少なくとも１つの二次成分キャリアとを含み、
前記少なくとも１つのプロセッサは、前記ＰＲＡＣＨが、少なくとも１つの二次成分キャリアのうちの二次成分キャリアでタイミング情報を伝送し、前記第２のチャネルが、前記一次成分キャリアで送信される場合、前記ＰＲＡＣＨに第１の優先度を、前記第２のチャネルに第２の優先度を割り当てることによって、前記送信電力の優先度付けを行うように構成された、［５１］に記載の装置。
［５６］前記ＰＲＡＣＨおよび前記第２のチャネルは、複数の成分キャリアで送信され、
前記複数の成分キャリアは、一次成分キャリアと、少なくとも１つの二次成分キャリアとを含み、
前記少なくとも１つのプロセッサは、前記ＰＲＡＣＨが、前記一次成分キャリアでアップリンク・スケジューリング要求を示し、前記第２のチャネルが、前記一次成分キャリアで送信される物理アップリンク制御チャネル（ＰＵＣＣＨ）である場合、前記ＰＲＡＣＨに第１の優先度を、前記第２のチャネルに第２の優先度を割り当てることによって、前記ＰＲＡＣＨと前記第２のチャネルとの間での送信電力の優先度付けを行うように構成された、［５１］に記載の装置。
［５７］無線通信のための装置であって、
アクノレッジメント（ＡＣＫ）とともにアクセス・チャネルを送信するために使用する第１のリソースと、否定的アクノレッジメント（ＮＡＣＫ）とともに前記アクセス・チャネルを送信するための第２のリソースとに関する情報を受信し、
前記第１のリソースおよび前記第２のリソースのうちの１つで、前記アクセス・チャネルを送信する
ように構成された少なくとも１つのプロセッサ、を備える装置。
［５８］前記アクセス・チャネルは、物理ランダム・アクセス・チャネル（ＰＲＡＣＨ）である、［５７］に記載の装置。
［５９］コンピュータ読取可能な記憶媒体を備えるコンピュータ・プログラム製品であって、
前記コンピュータ読取可能な記憶媒体は、
プロセッサに対して、アクセス・チャネルと第２のチャネルとの間での送信電力の優先度付けを実行させるための命令群と、
前記プロセッサに対して、前記アクセス・チャネルと前記第２のチャネルとを同時に送信させるための命令群と、ここで、前記アクセス・チャネルと前記第２のチャネルとのおのおのは、優先度に基づいて決定された送信電力で送信される、
を備える、コンピュータ・プログラム製品。
［６０］前記コンピュータ読取可能な記憶媒体はさらに、
前記プロセッサに対して、高い優先度のチャネルに、必須の送信電力を割り当てさせるための命令群と、
前記プロセッサに対して、低い優先度のチャネルに、残りの送信電力を割り当てさせるための命令群と
を含む、［５９］に記載のコンピュータ・プログラム製品。
［６１］コンピュータ読取可能な記憶媒体を備えるコンピュータ・プログラム製品であって、
前記コンピュータ読取可能な記憶媒体は、
プロセッサに対して、アクノレッジメント（ＡＣＫ）とともにアクセス・チャネルを送信するために使用する第１のリソースと、否定的アクノレッジメント（ＮＡＣＫ）とともに前記アクセス・チャネルを送信するための第２のリソースとに関する情報を受信させるための命令群と、
前記プロセッサに対して、前記第１のリソースおよび前記第２のリソースのうちの１つで、前記アクセス・チャネルを送信させるための命令群と
を備える、コンピュータ・プログラム製品。
［６２］前記アクセス・チャネルは、物理ランダム・アクセス・チャネル（ＰＲＡＣＨ）である、［６１］に記載のコンピュータ・プログラム製品。
【図１】
0006001101.tif 000002
【図２】
0006001101.tif 000003
【図３】
0006001101.tif 000004
【図５】
0006001101.tif 000005
【図６】
0006001101.tif 000006
【図７】
0006001101.tif 000007
【図８】
0006001101.tif 000008
【図９】
0006001101.tif 000009
【図１０】
0006001101.tif 000010
【図１１】
0006001101.tif 000011
【図１２】
0006001101.tif 000012
【図１３】
0006001101.tif 000013
【図１４】
0006001101.tif 000014
【図１５】
0006001101.tif 000015
【図１６】
0006001101.tif 000016
【図１７】
0006001101.tif 000017
【図４】
0006001101.tif 000018